(57)【要約】  地図表示装置（１０）は、タッチパネル（１）に地図を表示させる地図表示部（２ａ）と、地図のスクロール方向をユーザが指定するための方向指定領域（２１）を含むスクロール操作画面を、タッチパネル（１）に表示させるスクロール操作画面表示部（２ｂ）とを備える。方向指定領域（２１）の中心は、タッチパネル（１）に表示中の地図上に規定された基準地点に対応する。スクロール操作画面表示部（２ｂ）は、予め定められた有意物が基準地点から見た各方向に存在するか否かを示す有意物アイコン（２４）を、方向指定領域（２１）の外周部における各方向に対応する位置に表示させる。
2015059742.tif 000002
【特許請求の範囲】
【請求項１】
表示装置に地図を表示させる地図表示部と、
地図のスクロール方向をユーザが指定するための方向指定領域を含むスクロール操作画面を、前記表示装置に表示させるスクロール操作画面表示部とを備え、
前記地図表示部が、表示中の地図をユーザが前記スクロール操作画面を用いて指定した方向へスクロールさせる地図表示装置であって、
前記方向指定領域の中心は、前記表示装置に表示中の地図上に規定された基準地点に対応しており、
前記スクロール操作画面表示部は、予め定められた有意物が前記基準地点から見た各方向に存在するか否かを示すアイコンを、前記方向指定領域の外周部における各方向に対応する位置に表示させる
ことを特徴とする地図表示装置。
【請求項２】
前記アイコンは、有意物が存在することを示す有意物アイコンを含む
請求項１記載の地図表示装置。
【請求項３】
前記有意物アイコンは、有意物の種別に応じて異なる態様で表示される
請求項２記載の地図表示装置。
【請求項４】
前記スクロール操作画面は、前記有意物アイコンが示す有意物までの距離の表示をさらに含む
請求項２記載の地図表示装置。
【請求項５】
ユーザによって前記有意物アイコンが選択されると、前記地図表示部は、選択された有意物アイコンに対応する有意物の地点まで地図を自動的にスクロールまたはジャンプさせる
請求項２記載の地図表示装置。
【請求項６】
前記アイコンは、有意物が存在しない無意地域を示す無意地域アイコンを含む
請求項１記載の地図表示装置。
【請求項７】
前記無意地域アイコンは、無意地域の種別に応じて異なる態様で表示される
請求項６記載の地図表示装置。
【請求項８】
前記スクロール操作画面は、前記無意地域アイコンが示す無意地域までの距離の表示をさらに含む
請求項６記載の地図表示装置。
【請求項９】
前記スクロール操作画面表示部は、前記基準地点から一定距離以上離れた有意物についての前記アイコンは表示しない
請求項１記載の地図表示装置。
【請求項１０】
前記スクロール操作画面表示部は、前記表示装置に表示中の地図の範囲に存在する有意物についての前記アイコンは表示しない
請求項１記載の地図表示装置。
【請求項１１】
前記スクロール操作画面表示部は、前記表示装置に表示中の地図の範囲に存在する有意物と同じ種別の有意物についての前記アイコンは表示しない
請求項１記載の地図表示装置。
【請求項１２】
前記スクロール操作画面は、中心位置が同じで大きさの異なる複数の方向指定領域を含み、
前記スクロール操作画面表示部は、前記アイコンを、前記基準地点から前記アイコンが示す地点までの距離に応じて、前記複数の方向指定領域のいずれかの外周部に表示させる
請求項１記載の地図表示装置。
【請求項１３】
前記地図表示部は、地図のスクロール方向が有意物の存在する方向か否かに応じて、地図のスクロール速度を変化させる
請求項１記載の地図表示装置。
【請求項１４】
前記地図表示部は、前記表示装置に表示中の地図の地域から有意物までの距離に応じて、地図のスクロール速度を変化させる
請求項１記載の地図表示装置。
【請求項１５】
前記スクロール操作画面表示部は、ユーザが地図のスクロール操作を行うための指示体が前記表示装置に近づいたことを検知すると、自動的に前記スクロール操作画面を表示させる
請求項１記載の地図表示装置。
【発明の詳細な説明】
【技術分野】
【０００１】
本発明は、地図表示のスクロール機能を有する地図表示装置に関する。
【背景技術】
【０００２】
従来より、画面に表示された地図のスクロール機能を有する地図表示装置が知られている。例えば、下記の特許文献１には、ユーザがスクロールスイッチを用いて地図をスクロールさせている間に、画面に表示される地点が陸から海に移ると、スクロールスイッチに反力を与える技術が開示されている。これにより、ユーザは、表示される地点が海に到達したことを知ることができ、不要なスクロール操作が抑制される。【０００３】
特許文献２には、地図をスクロールさせる方向と距離をユーザがワンタッチで指定可能な画面を地図に重ねて表示する技術が開示されている。また特許文献２では、その画面上にＰＯＩ（point of interest）の位置を表示させることも開示されている。
【先行技術文献】
【特許文献】
【０００４】
【特許文献１】特開２００５−１８１５７２号公報
【特許文献２】特開２０１３−６１２１０号公報
【発明の概要】
【発明が解決しようとする課題】
【０００５】
特許文献１の技術は、表示される地点が海に到達したことを事後的にユーザへ通知するものであり、地図をスクロールさせる方向に海があることを予めユーザに知らせるものではない。【０００６】
一方、特許文献２では、地図をスクロールさせる方向と距離を指定する画面上にＰＯＩを表示させることで、ユーザはスクロール後の地図上にどのような施設が存在するかを予め知ることができる。特許文献２において、地図をスクロールさせる方向と距離を指定する画面は、表示中の地図の中心地点からの距離を示す円を複数同心円状に表示した構成となっており、最も外側の円が示す距離よりも遠くの施設の存在は知ることができない。【０００７】
本発明は以上のような課題を解決するためになされたものであり、ユーザがスクロール操作を無駄なく行うことができ、使い勝手のよい地図スクロール機能を有する地図表示装置を提供することを目的とする。
【課題を解決するための手段】
【０００８】
本発明に係る地図表示装置は、表示装置に地図を表示させる地図表示部と、地図のスクロール方向をユーザが指定するための方向指定領域を含むスクロール操作画面を、表示装置に表示させるスクロール操作画面表示部とを備え、地図表示部が、表示中の地図をユーザがスクロール操作画面を用いて指定した方向へスクロールさせる地図表示装置であって、方向指定領域の中心は、表示装置に表示中の地図上に規定された基準地点に対応しており、スクロール操作画面表示部は、予め定められた有意物が基準地点から見た各方向に存在するか否かを示すアイコンを、方向指定領域の外周部における各方向に対応する位置に表示させる。
【発明の効果】
【０００９】
本発明に係る地図表示装置によれば、ユーザは、地図のスクロール操作を行う際、各方向に有意物があるか否かを予め知ることができるため、無駄なくスクロール操作を行うことができる。【００１０】
この発明の目的、特徴、態様および利点は、以下の詳細な説明と添付図面とによって、より明白となる。
【図面の簡単な説明】
【００１１】
【図１】実施の形態１に係る地図表示装置の構成を示すブロック図である。
【図２】タッチパネルに表示される地図の例を示す図である。
【図３】実施の形態１に係るスクロール操作画面の構成を示す図である。
【図４】地図にスクロール操作画面を重ねて表示したときのタッチパネルの表示例を示す図である。
【図５】実施の形態１に係る地図表示装置の動作を示すフローチャートである。
【図６】実施の形態１の変形例に係るスクロール操作画面の方向指定領域の構成を示す図である。
【図７】実施の形態１の変形例に係るスクロール操作画面の方向指定領域の構成を示す図である。
【図８】実施の形態１の変形例に係るスクロール操作画面の方向指定領域の構成を示す図である。
【図９】実施の形態１の変形例に係るスクロール操作画面の方向指定領域の構成を示す図である。
【図１０】実施の形態２に係るスクロール操作画面の方向指定領域の構成を示す図である。
【図１１】実施の形態３に係るスクロール操作画面の方向指定領域の構成を示す図である。
【図１２】実施の形態３に係るスクロール操作画面の方向指定領域の構成を示す図である。
【図１３】実施の形態４に係るスクロール操作画面の方向指定領域の構成を示す図である。
【図１４】実施の形態４に係るスクロール操作画面の方向指定領域の構成を示す図である。
【発明を実施するための形態】
【００１２】
＜実施の形態１＞
図１は、実施の形態１に係る地図表示装置１０の構成を示すブロック図である。地図表示装置１０は、タッチパネル１、表示処理部２、操作解析部３、記憶部４、現在位置取得部５およびそれらの動作を制御する制御部６を備えている。この地図表示装置１０は、コンピュータを用いて構成されており、表示処理部２、操作解析部３、現在位置取得部５および制御部６は、コンピュータがプログラムに従って動作することにより実現される。また、記憶部４は、ハードディスク、リムーバブルディスク、メモリなどの記憶媒体によって構成される。
【００１３】
タッチパネル１は、液晶パネル等の表示装置とタッチパッド（操作入力装置）を一体化した入出力装置である。すなわち、タッチパネル１は、画像を表示する表示装置としての機能、および画面に対するユーザの操作（タッチ操作）を受け付ける操作入力装置としての機能を有している。タッチパネル１に対するタッチ操作としては、例えば、画面を指で叩く「タップ」、画面にタッチした指を移動させる「ドラッグ」、画面上で指を払う「フリック」などがある。本実施の形態では、タッチパネル１が地図表示装置１０に内蔵された例を示すが、タッチパネル１は地図表示装置１０に外付けされてもよい。
【００１４】
表示処理部２は、タッチパネル１に画像を表示させるための画像信号を生成する機能を有している。表示処理部２はさらに、タッチパネル１に地図を表示させる地図表示部２ａと、タッチパネル１に表示された地図をスクロールさせる操作（スクロール操作）を行うためのスクロール操作画面を、タッチパネル１に表示させるスクロール操作画面表示部２ｂとを備えている。スクロール操作画面の詳細については後述する。
【００１５】
操作解析部３は、ユーザがタッチパネル１に行った操作を認識し、その操作の内容を解析する機能を有している。制御部６は、操作解析部３が解析した操作の内容に応じて表示処理部２を制御し、タッチパネル１の表示内容を遷移させることができる。例えば、ユーザがタッチパネル１に表示された地図のスクロール操作をした場合、制御部６が表示処理部２を制御して、タッチパネル１に表示されている地図をスクロールさせる。
【００１６】
記憶部４には、地図表示部２ａがタッチパネル１に表示させる地図のデータ（地図情報）ならびに地図上に存在する各ＰＯＩの位置および種別の情報（ＰＯＩ情報）が記憶されている。また、本実施の形態の地図表示装置１０には、特定の種別のＰＯＩや地域を「有意物」として、有意物が無いと考えられる種別の地域を「無意地域」としてそれぞれ登録でき、記憶部４には、登録された有意物を示す有意物情報と、登録された無意地域を示す無意地域情報とがさらに記憶される。有意物としては、例えば、寺院、学校、市街地、観光地、国境などが挙げられる。無意地域としては、例えば、海、山、砂漠、広大な田畑などが挙げられる。なお、無意地域情報は、実施の形態１では使用されず、実施の形態２以降で用いられる。
【００１７】
現在位置取得部５は、不図示のＧＰＳ（Global Positioning System）受信機が受信したＧＰＳ信号に基づいて、地図表示装置１０の現在位置を算出する機能を有する。また、地図表示装置１０が車両に搭載される場合、現在位置取得部５が、当該車両（「自車」ともいう）のセンサから得られるセンサ情報（例えば、車両の速度、進行方向等）も自車の現在位置の算出に反映させて、より正確な自車の位置が算出されるようにすることが好ましい。
【００１８】
本実施の形態では、地図表示装置１０が車両に搭載されているものとする。ただし、本発明の地図表示装置は、例えばナビゲーションシステムなどの車載装置だけでなく、スマートフォン等の携帯型の装置にも適用可能である。
【００１９】
ここで、表示処理部２の詳細について説明する。表示処理部２の地図表示部２ａは、タッチパネル１に図２のような地図を表示させる。図２の中央に表示されているアイコンは、自車の位置と進行方向を示している。一方、表示処理部２のスクロール操作画面表示部２ｂは、図３に示すようなスクロール操作画面をタッチパネル１に表示させる。スクロール操作画面は、実際には図４のように地図上に重ねて表示される。
【００２０】
スクロール操作画面は、図３のように、方向指定領域２１、カーソル２２、自車位置表示アイコン２３および有意物アイコン２４ａ〜２４ｃから構成されている。また、図４から分かるように、スクロール操作画面において、方向指定領域２１の輪郭線、カーソル２２、自車位置表示アイコン２３、有意物アイコン２４ａ〜２４ｃ以外の部分は透明であり、その下の地図が透けて見える。
【００２１】
方向指定領域２１は、ユーザがタッチ操作により地図のスクロール方向を指定するための領域である。図３では方向指定領域２１を円形としたが、方向指定領域２１の形状は、楕円や多角形など、任意の形状でよい。方向指定領域２１の中央には十字型のカーソル２２が表示されており、ユーザは、方向指定領域２１内でカーソル２２を操作することによって、地図のスクロール方向を指定できる。カーソル２２の形状も任意の形状でよい。
【００２２】
地図をスクロールさせる量（距離）は、ユーザによるカーソル２２の操作内容に応じて決定される。例えば、カーソル２２がドラッグ操作により移動されると、カーソル２２が移動した方向および量と同じだけ地図がスクロールされる（スクロール後、カーソル２２は方向指定領域２１の中央に戻る）。また、カーソル２２がフリックされると、フリックされた方向へ、フリック操作の速さに応じた速度で、地図が一定時間だけ自動的にスクロールされる。
【００２３】
自車位置表示アイコン２３は、タッチパネル１に表示される地図を、自車位置を中心とする地図に戻すためのものである。すなわち、自車位置表示アイコン２３がタップされると、自車位置まで地図が自動的にスクロール（またはジャンプ）される。
【００２４】
有意物アイコン２４ａ〜２４ｃは、登録されている有意物が存在する方向を示すものであり、方向指定領域２１の外周部に表示される。方向指定領域２１の中心は表示中の地図上に規定された基準地点に対応しており、方向指定領域２１の中心から有意物アイコンへの方向は、基準地点から見た各有意物の方向に対応している。本実施の形態では、表示中の地図の中心地点が、基準地点として規定されるものとする。例えば、地図が北を上にして表示されている場合、方向指定領域２１の上側の外周部に有意物アイコンが表示されていれば、その有意物アイコンが示す有意物が、表示中の地図の中心地点（基準地点）から見て北の方向に存在することを表している。また、有意物アイコンは、それが示す有意物の種別をユーザが識別可能なように、有意物の種別に応じて異なる態様（色、模様、形状など）で表示される。
【００２５】
図３の例であれば、有意物アイコン２４ａは、表示中の地図の中心地点から北西の方向に観光地があることを示している。有意物アイコン２４ｂは、表示中の地図の中心地点から北の方向に市街地があることを示している。有意物アイコン２４ｃは、表示中の地図の中心地点から南東の方向に市街地があることを示している。なお、図３においては、スクロール操作画面に、基準地点から有意物アイコン２４ａ〜２４ｃが示す各有意物までの距離や、有意物アイコン２４ａ〜２４ｃが示す有意物の種別を示す文字情報（「観光地」、「市街地」など）も表示される例を示しているが、これらの表示は省略されてもよい。また、有意物の種別を示す文字情報に代えて、有意物の具体的な名称（施設名、都市名など）を示す文字情報を表示させてもよい。
【００２６】
有意物アイコン２４ａ〜２４ｃは、タッチパネル１に表示される地図を、各有意物の地点まで移動させるための操作にも使用できる。すなわち、有意物アイコン２４ａ〜２４ｃのいずれかがタップ操作によって選択されると、選択された有意物アイコンが示す有意物の地点まで、地図が自動的にスクロール（またはジャンプ）される。
【００２７】
先に述べたように、スクロール操作画面に有意物アイコンとして表示される有意物は、予め登録された特定の種別のＰＯＩや地域である。どの種別のＰＯＩや地域が有意物として登録されるかは、固定されていてもよいし、ユーザが任意に設定可能としてもよい。また、ユーザが地図表示装置１０の検索機能を用いて検索したカテゴリーのＰＯＩや地域が、自動的に有意物として登録されるようにしてもよい。
【００２８】
スクロール操作画面上に有意物アイコンとして表示させる有意物は、地図をスクロールさせるときに実用的な範囲（例えば基準地点から１００ｋｍまでの範囲）に存在するものに限定することが好ましい。必要以上に広範囲の有意物を有意物アイコンとして表示すると、方向指定領域２１の外周部のほぼ全体が有意物アイコンで埋め尽くされ、近くにある有意物の存在を把握し難くなるおそれがあるからである。どの程度の範囲にある有意物を有意物アイコンとして表示させるかは、ユーザが任意に設定可能にしてもよいし、表示中の地図の縮尺に応じて自動的に設定されるようにしてもよい。
【００２９】
図５は、地図表示装置１０の動作を示すフローチャートである。以下、図５に基づいて、地図表示装置１０の動作を説明する。
【００３０】
地図表示装置１０が起動すると、制御部６は、表示処理部２の地図表示部２ａを制御して、タッチパネル１に図２のような地図を表示させる（ステップＳ１）。起動時に表示させる地図は、例えば現在位置取得部５が取得した自車位置を中心とする地図とするとよい。また、制御部６は、タッチパネル１に地図が表示されている間、地図をスクロールさせる動作モードの開始を要求する操作（スクロールモード開始操作）が、ユーザによって行われたか否かを監視する（ステップＳ２）。スクロールモード開始操作が行われていない間は（ステップＳ２でＮＯ）、地図の表示を継続する。
【００３１】
ユーザによりスクロールモード開始操作が行われると（ステップＳ２でＹＥＳ）、制御部６は、そのとき表示中の地図の中心地点（起動直後であれば自車位置に相当）を、基準地点として設定する（ステップＳ３）。そして、制御部６は、表示処理部２のスクロール操作画面表示部２ｂを制御し、方向指定領域２１、カーソル２２および自車位置表示アイコン２３を含むスクロール操作画面を、タッチパネル１の地図に重ねて表示させる（ステップＳ４）。
【００３２】
それと同時に、制御部６は、記憶部４に記憶されている地図情報、ＰＯＩ情報および有意物情報を参照して、基準地点から一定距離内に存在する有意物を検索し（ステップＳ５）、見つかった有意物に対応する有意物アイコンを、方向指定領域２１の外周部に表示させる（ステップＳ６）。このとき、有意物アイコンは、基準地点から見たときの有意物の方向に対応する位置に表示される。その結果、タッチパネル１は、図４のような画面が表示されることになる。その後、制御部６は、ユーザの操作を待つ（ステップＳ７）。
【００３３】
ユーザによって操作が行われると（ステップＳ７でＹＥＳ）、制御部６は、その操作内容に応じた動作を行う。例えば、当該操作がスクロールモードの解除を要求する操作（スクロールモード解除操作）であった場合は（ステップＳ８でＹＥＳ）、スクロールモードを終了して、ステップＳ１に戻り、スクロール操作画面を含まない通常の地図表示を行う。
【００３４】
当該操作が有意物アイコンのタップであった場合は（ステップＳ８でＮＯ、ステップＳ９でＹＥＳ）、制御部６は、地図表示部２ａを制御して、タップされた有意物アイコンに対応する地点まで地図をスクロールさせる（ステップＳ１０）。また、当該操作が自車位置表示アイコン２３のタップであった場合は（ステップＳ８，Ｓ９でＮＯ、ステップＳ１１でＹＥＳ）、自車位置の地点まで、地図をスクロールさせる（ステップＳ１２）。それらのいずれの操作でもなかった場合は（ステップＳ８，Ｓ９，Ｓ１１でＮＯ）、その操作内容（例えばカーソル２２のドラッグやフリック）に応じて、地図をスクロールさせる方向と量（距離）を決定し、地図をスクロールさせる（ステップＳ１３）。
【００３５】
地図をスクロールさせた後はステップＳ３に戻るが、このときのステップＳ３では、スクロール後に表示された地図の中心が新たな基準地点として設定される。ステップＳ３〜Ｓ１３の動作は、スクロールモードが解除されるまで（ステップＳ８でＹＥＳとなるまで）、繰り返し実行される。
【００３６】
本実施の形態によれば、ユーザは、スクロール操作画面を用いて地図のスクロール操作を行う際、表示中の地図の中心地点（基準地点）からどの方向に有意物があるかを予め知ることができる。それにより、無駄なスクロール操作（有意物のない方向へのスクロール操作）を抑制することができる効果が得られる。
【００３７】
［変形例］
使い勝手の良さや地図の視認性の観点から、スクロール操作画面には、基準地点から一定距離内にある有意物の全てを有意物アイコンとして表示させなくてもよい。例えば、タッチパネル１に表示中の地図の範囲に含まれている有意物については、その地図によって存在を認識できるため、有意物アイコンの表示を省略してもよい。この場合、表示中の地図の範囲外にある有意物の有意物アイコンのみが表示される。
【００３８】
また例えば、タッチパネル１に表示中の地図の範囲に含まれている有意物と同じ種別の有意物について、有意物アイコンの表示を省略してもよい。この場合、表示中の地図の範囲内に存在しない種別の有意物に対応する有意物アイコンのみが表示される。
【００３９】
また、カーソル２２のフリックによって地図を自動的にスクロールさせるとき、スクロールの方向が有意物の存在する方向か否かによって、スクロール速度を変化させてもよい（自動スクロールさせる時間の長さは一定でもよい）。例えば、有意物の無い方向へのスクロールを、有意物のある方向へのスクロールよりも速くすると、有意物の無い地域の地図を素早くスキップできるため使い勝手が向上する。また、スクロール速度は、表示中の地図の地域から有意物までの距離に応じて変化させてもよい。例えば、有意物との距離が遠い地域の地図ほどスクロール速度を速くするとよい。
【００４０】
スクロール操作画面において、有意物アイコンは必要なときのみに表示されるようにしてもよく、例えば、ユーザが地図のスクロール操作を行うための指示体（ユーザの指など）がタッチパネル１に近づいたときに、有意物アイコンが表示されるようにしてもよい。それにより、スクロール操作画面の下に表示されている地図の視認性を確保できる。ただし、指示体の接近を検知するためのセンサ等を地図表示装置１０に設ける必要がある。
【００４１】
有意物アイコンのデザインは任意でよく、例えば図６のように、イラストを用いたデザインの有意物アイコンや、立体的なデザインの有意物アイコンを用いてもよい。また、国境を示す有意物アイコンとして、その国境の向こう側の国の国旗をデザインした有意物アイコンを用いることも考えられる。
【００４２】
スクロール操作画面の方向指定領域２１の構成は、図３に限られず、例えば、方向指定領域２１の輪郭を示す図形（ここでは円）の表示は省略してもよい。
【００４３】
また、図７のように、有意物アイコンを弧とする扇形を表示してもよい。さらに、図８のように、方向指定領域２１において、有意物アイコンを弧とする扇形の部分を透明にし、扇形の外側の部分は半透明にしたりブラー（ぼかし）処理を加えたりしてもよい。半透明部分の透明度やブラー処理部分の画素値は、表示中の地図の地域から有意物までの距離に応じて変化させてもよい。距離の異なる複数の有意物の有意物アイコンが表示される場合は、最も近い有意物までの距離に基づいて、透明度やブラー処理の画素値が設定されるようにしてもよい。また、予め有意物の種別に応じて優先順位を設定しておき、優先度の高い有意物までの距離に基づいて透明度やブラー処理の画素値が設定されるようにしてもよい。例えば、表示中の地図の地域が有意物から遠いときほど、透明度を低くすることが考えられる。また、図９のように、有意物アイコンを弧とする扇形の外側が窪んで見えるように、扇形を立体的に表示してもよい。
【００４４】
＜実施の形態２＞
実施の形態１では、スクロール操作画面の方向指定領域２１の外周部に、有意物が存在することを示す有意物アイコンを表示させたが、実施の形態２では、それに代えて、無意地域が存在することを示す無意地域アイコンを表示させる。無意地域は、有意物が無いと考えられる種別の地域として予め登録されたものであり、例えば、海、山、砂漠、広大な田畑などが挙げられる。どの種別の地域が無意地域として登録されるかは、固定されていてもよいし、ユーザが任意に設定可能としてもよい。
【００４５】
実施の形態２の地図表示装置１０では、スクロールモードが開始されて、タッチパネル１にスクロール操作画面が表示されるとき、制御部６が、記憶部４に記憶されている地図情報および無意地域情報を参照して、基準地点から一定距離内に存在する無意地域を検索し、見つかった無意地域に対応する無意地域アイコンを、方向指定領域２１の外周部に表示させる。また、無意地域アイコンは、無意地域の種別をユーザが識別可能なように、無意地域の種別に応じて異なる態様（色、模様、形状など）で表示される。
【００４６】
図１０は、実施の形態２に係るスクロール操作画面の方向指定領域の構成を示す図である。図示は省略するが、本実施の形態でも、スクロール操作画面は、自車位置表示アイコン２３を含んでおり、地図に重ねて表示される。
【００４７】
表示中の地図の中心地点が基準地点として規定されるものと仮定し、地図が北を上にして表示されている場合、図１０の無意地域アイコン２５ａ〜２５ｃは、表示中の地図の中心地点から北北西の方向、南西の方向、北東の方向にそれぞれ山地があることを示している。また、無意地域アイコン２５ｄは、表示中の地図の中心地点から南の方向に海があることを示している。図１０においては、スクロール操作画面に、基準地点から無意地域アイコンが示す無意地域までの距離や、無意地域アイコンが示す無意地域の種別を示す文字情報（「山地」、「海」など）も表示される例を示したが、これらの表示は省略してもよい。また、無意地域アイコンが示す無意地域の具体的な名称（山地名、海洋名など）を示す文字情報を表示させてもよい。
【００４８】
本実施の形態によれば、ユーザは、スクロール操作画面を用いて地図のスクロール操作を行う際、表示中の地図の中心からどの方向に無意地域があるかを予め知ることができる。それにより、無駄なスクロール操作（有意物のない方向へのスクロール操作）を抑制することができる効果が得られる。
【００４９】
＜実施の形態３＞
実施の形態３では、スクロール操作画面に有意物アイコンと無意地域アイコンの両方を表示させる。図１１は、実施の形態３に係るスクロール操作画面の方向指定領域の構成を示す図である。図示は省略するが、本実施の形態でも、スクロール操作画面は、自車位置表示アイコン２３を含んでおり、地図に重ねて表示される。
【００５０】
スクロール操作画面に有意物アイコンと無意地域アイコンの両方が表示されることで、ユーザは、スクロール操作画面を用いて地図のスクロール操作を行う際、表示中の地図の中心を基準として、どの方向に有意物があるか、またどの方向に無意地域があるかを予め知ることができる。つまり、実施の形態１、２の効果が得られ、無駄なスクロール操作（有意物のない方向へのスクロール操作）をさらに抑制することができる。
【００５１】
なお、これまでに示した方向指定領域２１の例では、有意物アイコン２４ａ〜２４ｃおよび無意地域アイコン２５ａ〜２５ｄが示す各方向が互いに重複しないケースを示したが、例えば同じ方向に複数の有意物があるケースや、無意地域の手前に有意物があるケースなども考えられる。そのような場合、図１２のように、各アイコンが互いに重複しないようにそれらの表示位置を適宜ずらすとよい。
【００５２】
＜実施の形態４＞
実施の形態４では、スクロール操作画面に、中心位置が同じで大きさの異なる複数の方向指定領域を表示させる。そして、有意物アイコンまたは無意地域アイコンを、基準地点からの距離に応じて、複数の方向指定領域のいずれかの外周部に表示させる。
【００５３】
図１３は、実施の形態４に係るスクロール操作画面の方向指定領域の構成を示す図である。このスクロール操作画面には、中心位置が同じで大きさの異なる３つの方向指定領域２１ａ〜２１ｃが含まれる。ここで、最も内側の方向指定領域２１ａの外周部には、基準地点から１０ｋｍ未満の範囲にある有意物の有意物アイコンが表示されるものとする。また、その外側の方向指定領域２１ｂの外周部には、基準地点から１０ｋｍ以上、１５ｋｍ未満の範囲にある有意物の有意物アイコンが表示されるものとする。さらに、最も外側の方向指定領域２１ｃの外周部には、基準地点から１５ｋｍ以上の範囲にある有意物の有意物アイコンが表示されるものとする。
【００５４】
従って、図１３において、基準地点から５ｋｍにある観光地を示す有意物アイコン２４ａは、方向指定領域２１ａの外周部に表示される。基準地点から１２ｋｍにある市街地を示す有意物アイコン２４ｂは、方向指定領域２１ｂの外周部に表示される。また、基準地点から１８ｋｍにある観光地を示す有意物アイコン２４ｃは、方向指定領域２１ｃの外周部に表示される。
【００５５】
図１３では、有意物アイコンのみがスクロール操作画面に表示された例を示したが、実施の形態２のように無意地域アイコンのみが表示されるようにしてもよいし、実施の形態３のように有意物アイコンと無意地域アイコンの両方が表示されるようにしてもよい。例えば、図１４は、有意物アイコンと無意地域アイコンの両方が表示されるようにした場合の例を示している。
【００５６】
図１４において、最も内側の方向指定領域２１ａの外周部には、基準地点から１０ｋｍ未満の範囲にある有意物または無意地域を示すアイコンが表示されるものとする。また、その外側の方向指定領域２１ｂの外周部には、基準地点から１０ｋｍ以上、１５ｋｍ未満の範囲にある有意物または無意地域を示すアイコンが表示されるものとする。さらにその外側の方向指定領域２１ｃの外周部には、基準地点から１５ｋｍ以上、３０ｋｍ未満の範囲にある有意物または無意地域を示すアイコンが表示されるものとする。加えて、最も外側の方向指定領域２１ｄには、３０ｋｍ以上の範囲にある有意物または無意地域を示すアイコンが表示されるものとする。
【００５７】
従って、図１４において、基準地点から５ｋｍにある観光地の有意物アイコン２４ａは、方向指定領域２１ａの外周部に表示され、基準地点から１２ｋｍにある市街地の有意物アイコン２４ｂは、方向指定領域２１ｂの外周部に表示され、基準地点から１８ｋｍにある観光地の有意物アイコン２４ｃは、方向指定領域２１ｃの外周部に表示されている。さらに、基準地点から３０ｋｍ以上離れた地点にある山地の無意地域アイコン２５ａ〜２５ｃおよび海の無意地域アイコン２５ｄは、方向指定領域２１ｄの外周部に表示されている。
【００５８】
実施の形態４によれば、基準地点から有意物および無意地域までの距離を直感的に把握することができるという効果が得られる。
【００５９】
なお、本発明は、その発明の範囲内において、各実施の形態を自由に組み合わせたり、各実施の形態を適宜、変形、省略することが可能である。
【００６０】
この発明は詳細に説明されたが、上記した説明は、すべての態様において、例示であって、この発明がそれに限定されるものではない。例示されていない無数の変形例が、この発明の範囲から外れることなく想定され得るものと解される。
【符号の説明】
【００６１】
１  タッチパネル、２  表示処理部、２ａ  地図表示部、２ｂ  スクロール操作画面表示部、３  操作解析部、４  記憶部、５  現在位置取得部、６  制御部、１０  地図表示装置、２１，２１ａ〜２１ｄ  方向指定領域、２２  カーソル、２３  自車位置表示アイコン、２４ａ〜２４ｃ  有意物アイコン、２５ａ〜２５ｄ  無意地域アイコン。
【図１】
2015059742.tif 000003
【図２】
2015059742.tif 000004
【図３】
2015059742.tif 000005
【図４】
2015059742.tif 000006
【図５】
2015059742.tif 000007
【図６】
2015059742.tif 000008
【図７】
2015059742.tif 000009
【図８】
2015059742.tif 000010
【図９】
2015059742.tif 000011
【図１０】
2015059742.tif 000012
【図１１】
2015059742.tif 000013
【図１２】
2015059742.tif 000014
【図１３】
2015059742.tif 000015
【図１４】
2015059742.tif 000016
【手続補正書】
【提出日】平成28年12月1日(2016.12.1)
【手続補正１】
【補正対象書類名】特許請求の範囲
【補正対象項目名】請求項１
【補正方法】変更
【補正の内容】
【請求項１】
表示装置に地図を表示させる地図表示部と、
地図のスクロール方向をユーザが指定するための方向指定領域を含むスクロール操作画面を、前記表示装置に表示させるスクロール操作画面表示部とを備え、
前記地図表示部が、表示中の地図をユーザが前記スクロール操作画面を用いて指定した方向へスクロールさせる地図表示装置であって、
前記方向指定領域の中心は、前記表示装置に表示中の地図上に規定された基準地点に対応しており、
前記スクロール操作画面表示部は、予め定められた有意物が前記基準地点から見た各方向に存在するか否かを示すアイコンを、当該有意物の方向と範囲を示す形態で、前記方向指定領域の外周部における各方向に対応する位置に表示させる
ことを特徴とする地図表示装置。
【手続補正２】
【補正対象書類名】明細書
【補正対象項目名】０００８
【補正方法】変更
【補正の内容】
【０００８】
本発明に係る地図表示装置は、表示装置に地図を表示させる地図表示部と、地図のスクロール方向をユーザが指定するための方向指定領域を含むスクロール操作画面を、表示装置に表示させるスクロール操作画面表示部とを備え、地図表示部が、表示中の地図をユーザがスクロール操作画面を用いて指定した方向へスクロールさせる地図表示装置であって、方向指定領域の中心は、表示装置に表示中の地図上に規定された基準地点に対応しており、スクロール操作画面表示部は、予め定められた有意物が基準地点から見た各方向に存在するか否かを示すアイコンを、当該有意物の方向と範囲を示す形態で、方向指定領域の外周部における各方向に対応する位置に表示させる。
【国際調査報告】
2015059742.tif 000017
2015059742.tif 000018
2015059742.tif 000019
2015059742.tif 000020